(57)【要約】      （修正有）【課題】コンクリート打設において、広範囲に亘って効率よくコンクリートを締め固めることのできるコンクリートバイブレータ用アタッチメントを提供する。【解決手段】コンクリートバイブレータ用アタッチメント１は、コンクリートバイブレータ２の振動棒２１の先端部に取着するものであり、先端部に連結固定する連結部材１０と、連結部材１０に、振動棒２１の延びる方向に並設固着した複数の棒状の振動部材３０と、からなる。連結部材１０は、振動部材３０を固着する板部材１１と、板部材１１に固着され、先端部を挿着固定する筒部材１２と、からなることができる。振動部材３０は、振動棒２１に対して傾斜して形成された傾斜部３１を有することが好ましい。振動部材３０の先端部が閉塞した管状に形成されていることが好ましい。振動部材３０は合成樹脂からなることが好ましい。【選択図】図１
0003179915.tif 000002
【実用新案登録請求の範囲】
【請求項１】
コンクリートバイブレータの振動棒の先端部に取着するコンクリートバイブレータ用アタッチメントであって、
前記先端部に連結固定する連結部材と、
前記連結部材に、前記振動棒の延びる方向に並設固着した複数の棒状の振動部材と、
からなることを特徴とするコンクリートバイブレータ用アタッチメント。
【請求項２】
前記連結部材は、前記振動部材を固着する板部材と、
該板部材に固着され、前記先端部を挿着固定する筒部材と、
からなる請求項１に記載のコンクリートバイブレータ用アタッチメント。
【請求項３】
前記振動部材は、前記振動棒に対して傾斜して形成された傾斜部を有する請求項１又は２に記載のコンクリートバイブレータ用アタッチメント。
【請求項４】
前記振動部材の先端部が閉塞した管状に形成されている請求項１乃至３のうちのいずれか１項に記載のコンクリートバイブレータ用アタッチメント。
【請求項５】
前記振動部材は合成樹脂からなる請求項１乃至４のうちのいずれか１項に記載のコンクリートバイブレータ用アタッチメント。
【考案の詳細な説明】
【技術分野】
【０００１】
本考案は、コンクリートバイブレータ用アタッチメントに関する。更に詳しくは、コンクリート打設において、広範囲に亘って効率よくコンクリートを締め固めることのできるコンクリートバイブレータ用アタッチメントに関する。
【背景技術】
【０００２】
従来、コンクリート打設においては、打ち込んだコンクリートに振動を与えることによって、コンクリート内部の空隙を排除し、密度の高いコンクリートに締め固めることが行われる。
この締め固めには、通常、コンクリートバイブレータが用いられている（例えば、特許文献１参照。）。
このコンクリートバイブレータは、一本の振動棒をコンクリートに対して鉛直に挿入して、モータ駆動により高周波で振動させて締め固めを行うものである。
【先行技術文献】
【特許文献】
【０００３】
【特許文献１】特開２００６−１８３４３０号公報
【考案の概要】
【考案が解決しようとする課題】
【０００４】
しかし、振動棒は一本であり、コンクリートの一箇所に挿入して振動させても、狭い範囲しか振動の効果を得ることはできず、次々と場所を移動して作業する必要があり、効率的とはいえない。
本考案は、前記の問題を解決するものであり、コンクリート打設において、広範囲に亘って効率よくコンクリートを締め固めることのできるコンクリートバイブレータ用アタッチメントを提供することを解決すべき課題としている。
【課題を解決するための手段】
【０００５】
本考案は、以下の通りである。
（１）コンクリートバイブレータの振動棒の先端部に取着するコンクリートバイブレータ用アタッチメントであって、前記先端部に連結固定する連結部材と、
前記連結部材に、前記振動棒の延びる方向に並設固着した複数の棒状の振動部材と、からなることを特徴とするコンクリートバイブレータ用アタッチメント。
（２）前記連結部材は、前記振動部材を固着する板部材と、該板部材に固着され、前記先端部を挿着固定する筒部材と、からなる（１）に記載のコンクリートバイブレータ用アタッチメント。
（３）前記振動部材は、前記振動棒に対して傾斜して形成された傾斜部を有する（１）又は（２）に記載のコンクリートバイブレータ用アタッチメント。
（４）前記振動部材の先端部が閉塞した管状に形成されている（１）乃至（３）のうちのいずれか１項に記載のコンクリートバイブレータ用アタッチメント。
（５）前記振動部材は合成樹脂からなる（１）乃至（４）のうちのいずれか１項に記載のコンクリートバイブレータ用アタッチメント。
【考案の効果】
【０００６】
（１）本考案に係るコンクリートバイブレータ用アタッチメント（以下「アタッチメント」ともいう。）は、コンクリートバイブレータの振動棒の先端部に連結固定する連結部材と、前記連結部材に、前記振動棒の延びる方向に並設固着した複数の棒状の振動部材と、からなるため、並設された広範囲に亘って効率よくコンクリートを締め固めることができる。
（２）連結部材が、振動部材を固着する板部材と、板部材に固着され先端部を挿着固定する筒部材と、からなる場合には、振動棒に対してアタッチメントが着脱自在とすることができると共に、簡易な構造であるため製作が容易である。
（３）振動部材が、前記振動棒に対して傾斜して形成された傾斜部を有する場合には、振動部材の並設方向のみならず、傾斜部の延びる方向に対しても振動させることができるため、更に広範囲に、効率よくコンクリートを締め固めることができる。
（４）振動部材の先端部が閉塞した管状に形成されている場合には、更に軽量化を図ることができ、一層取り扱いやすくなる。また、前端部が閉塞されているため、コンクリートが管内に流入するのを防ぐことができる。
（５）振動部材が合成樹脂からなる場合には、軽量化を図ることができ、一層取り扱いやすいものとなる。
【図面の簡単な説明】
【０００７】
【図１】本考案に係るコンクリートバイブレータ用アタッチメントをコンクリートバイブレータに取着した状態を示す斜視図である。
【図２】本考案に係るコンクリートバイブレータ用アタッチメントにコンクリートバイブレータを取着する前の状態を示す斜視図である。
【図３】(ａ)図２におけるＡ−Ａ断面図である。（ｂ）図２におけるＢ−Ｂ断面図である。
【図４】本考案に係る本考案に係るコンクリートバイブレータ用アタッチメントの使用状態の例を示す斜視図である。
【考案を実施するための形態】
【０００８】
以下本考案を図１〜４を参照しながら詳細に説明する。なお、本考案は、かかる図に記載された具体例に示すものに限られず、目的、用途に応じて種々変更したものとすることができる。
【０００９】
コンクリートバイブレータ用アタッチメント１は、本考案を具体化している。
アタッチメント１は、図１に示すように、コンクリートバイブレータ２の振動棒２１の先端部に取着するものであって、先端部に連結固定する連結部材１０と、連結部材１０に、振動棒２１の延びる方向に並設固着した複数の棒状の振動部材３０と、からなる。
【００１０】
コンクリートバイブレータ２は、図２に示すように、電源コード５０に接続するモータ駆動部２５と、モータ駆動部２５に直結する振動棒２１とからなり、モータ駆動により、振動棒２１を高周波で振動させる。
【００１１】
連結部材１０は、図２に示すように、コンクリートバイブレータ２の振動棒２１の先端部２１ａに連結固定する部材であると共に、振動棒２１の延びる方向に複数の棒状の振動部材３０を並設固着する部材である。
連結部材は、前記の作用をすれば特に限定はないが、例えば、図２に示す連結部材１０のように、振動部材３０を固着する板部材１１と、板部材１１に固着され、先端部２１ａを挿着固定する筒部材１２と、からなることができる。
こうすることで、図２に示すように、振動棒２１の先端部２１ａを筒部材１２に挿着し、固定螺子８０、８０により２方向から固定することができる。すなわち、図３（ｂ）に示すように、振動棒２１を筒部材１２の一面側にナット８５を介して、ボルト８０により押圧固定することができる。
こうすることで、アタッチメント１をコンクリートバイブレータ２に対して着脱自在に交換することが可能である。
【００１２】
筒部材１２の板部材１１への固着方法は特に限定はなく、螺子などの固着具による固着の他、溶接によって固着することもできる。
また、連結部材の材質は特に限定はないが、鉄製であることが好ましい。鉄製であれば、振動棒２１、振動部材３０を堅固に固定することができる。
【００１３】
振動部材３０は、図１に示すように、複数の棒状の部材からなり、連結部材１０に固着している。棒状の部材であれば特に限定はなく、中実状、管状であるを問わないが、管状に形成されていることが好ましい。管状であれば軽量であり、取り扱いがしやすいものとなる。管状の場合には、図３（ｂ）に示すように先端部３０ａが、閉塞されていることが好ましい。閉塞されていることにより、管内へのコンクリ―トの流入を防ぐことができる。
【００１４】
振動部材３０の連結部材１０への固着方法は、特に限定はないが、螺子などの固着具によることが好ましい。固着具によれば、振動部材３０を容易に交換することができる。
振動部材３０の本数は特に限定はなく、施工場所に応じて、２〜１０本とすることができる。また長さも施工場所、コンクリートの深さに応じて、種々変更することができる。
【００１５】
図３（ａ）に示すように、振動部材３０は、振動棒２１に対して傾斜して形成された傾斜部３２を有することが好ましい。すなわち、振動部材３０は、板部材１１に当接固着している取付け部３２と屈曲部３０ｂを境に傾斜している傾斜部３１とからなることができる。
こうすることで、図４に示すように、振動棒２１の延びる方向に対して斜め方向に、型枠７５内のコンクリート７０に振動部材３０を挿入することができ、振動部材３０の水平方向の挿入範囲が広くなり、振動部材３０の並設方向のみならず、傾斜部３１の延びる方向に対しても振動させることができるため、更に広範囲に、効率よくコンクリートを締め固めることができる。
【００１６】
振動部材３０の材質は特に限定はないが、塩化ビニルなどの合成樹脂製であることが好ましい。合成樹脂製であれば軽量であるため、取り扱いやすいものとなる。
【産業上の利用可能性】
【００１７】
本考案は、コンクリートの締め固めの技術分野において好適に利用される。
【符号の説明】
【００１８】
１・・・・コンクリートバイブレータ用アタッチメント
２・・・・コンクリートバイブレータ
１０・・・・連結部材
１１・・・・板部材
１２・・・・筒部材
２１・・・・振動棒
２１ａ・・・振動棒の先端部
３０・・・・振動部材
３０ａ・・・振動部材の先端部
３１・・・・傾斜部
【図１】
0003179915.tif 000003
【図２】
0003179915.tif 000004
【図３】
0003179915.tif 000005
【図４】
0003179915.tif 000006